(57)【要約】本発明の安全ノック式筆記具は、ペン芯を含むケースと、ケースの外部に配設されてクリップ部に回転可能に載置される歯車部（または半歯車部）、及びケースの内部に配設され前記歯車部に噛合して前記歯車部を動作させる第１及び第２突出片を備えたノック部を含み、ノック部の第１突出片が前記歯車部から離脱しながらペン芯を没入させるため、ペン芯が突出した状態で別途の操作なしに襟に差し込んで保管してもペン芯が没入し服地の汚れを防止できる。
2007517704.tif 000002
【特許請求の範囲】
【請求項１】
筆記具において、
ペン芯（５０）を含むケース（１０）；
前記ケース（１０）の外部に配設されてクリップ部（２０）に回転可能に載置される歯車部（３０）；及び
前記ケース（１０）の内部に配設されて前記歯車部（３０）に噛合回転する第１及び第２突出片（６１、６２）を備えるノック部（６０）を含み、
前記ノック部（６０）の第１突出片（６１）が前記歯車部（３０）から離脱しながらペン芯（５０）を没入させることを特徴とする安全ノック式筆記具。
【請求項２】
前記クリップ部（２０）は、前記歯車部（３０）を回転可能に載置するための別の歯車載置部（４０）を含むことを特徴とする請求項１に記載の安全ノック式筆記具。
【請求項３】
前記歯車部（３０）は、第１突出片（６１）により軸方向にガイドするためのもので、前記歯車部（３０）の回転動作時、前記第１突出片（６１）から離脱できるように所定深さと直線状の長さを有するガイド溝部（３２）；
前記第１突出片（６１）により螺旋方向にガイドするための回転ガイド部（３３）；
前記第１突出片（６１）を載置するための第１突出片載置部（３４）；及び
前記第２突出片（６２）を載置させて前記第２突出片（６２）により螺旋方向にガイドするための第２突出片載置部（３５）を含むことを特徴とする請求項１に記載の安全ノック式筆記具。
【請求項４】
筆記具において、
ペン芯（５０）を含むケース（１０）；
前記ケース（１０）の外部に配設されてクリップ部（２０）に回転可能に載置される半歯車部（３００）；及び
前記ケース（１０）の内部に配設されて前記半歯車部（３００）に噛合回転する第１及び第２突出片（６１、６２）を備えるノック部（６０）を含み、
前記ノック部（６０）の第１突出片（６１）が前記半歯車部（３００）から離脱しながら前記ペン芯（５０）を没入させ、
前記半歯車部（３００）は、前記ノック部（６０）の押し方向Ｆと押し反対方向Ｒへの往復直線運動に対応して回転方向Ｒと回転反対方向Ｑに往復回動することを特徴とする安全ノック式筆記具。
【請求項５】
前記ケース（１０）は、胴体（１０ａ）とチップホルダー（１２）を一体型に成形したもので、前記第１、第２突出片（６１、６２）が表出した状態で、軸方向に往復摺動可能に一定長さを有し、所定端部が開放されて互いに直径が相異なる長幅と短幅の直線型ガイドスリット（１６、１７）を含むことを特徴とする請求項４に記載の安全ノック式筆記具。
【請求項６】
前記ケース（１０）は、第１ねじ山（１８）を前記クリップ部（２０）の第２ねじ山（２８）に螺合して、前記クリップ部（２０）のリング状部と結合することを特徴とする請求項４に記載の安全ノック式筆記具。
【請求項７】
前記ケース（１０）は、第１ねじ山（１８）周囲の第１テーパー接触面（１９）を有し、前記クリップ部（２０）のリング状部が前記第１テーパー接触面（１９）と摩擦接触関係にある第２テーパー接触面（２９）を有し、前記第１、第２テーパー接触面（１９、２９）が平滑面接触に比べて、相対的に広い接触面積を提供するテーパー面接触で外嵌することによって、前記ガイドスリット（１６、１７）を有する前記ケース（１０）の前記第１ねじ山（１８）と前記クリップ部（２０）の前記第２ねじ山（２８）が螺合された時、螺合力を増加させることを特徴とする請求項４に記載の安全ノック式筆記具。
【請求項８】
前記半歯車部（３００）は、軸心を基準に回転する偏心歯状を有するもので、スパイラル状のスライド面を提供して一定角度の範囲の回転動作に関与するように前記ノック部（６０）の第１突出片（６１）と摩擦接触関係にある第１回転ガイド部（３１０）；
前記第１回転ガイド部（３１０）の傾斜下段で回転軸（３９０ａ、３９０ｂ）の軸方向に直線傾斜のスライド面と平滑面を形成するもので、段差による係止片の役割を併行する第１傾斜溝部（３２０）；
前記第１傾斜溝部（３２０）の平滑面先端で段差を有するように形成されると共に、スパイラル状のスライド面に垂直の隅角片を形成して、前記ペン芯（５０）の出没作動時前記第１突出片（６１）を載置及び停止させる第１突出片載置部（３３０）；
前記第１突出片載置部（３３０）の隅角片上向きで歯状に形成されたスパイラル状のスライド面を提供する第２回転ガイド部（３４０）；
前記第１傾斜溝部（３２０）と同じであるが、反対方向に直線傾斜のスライド面と平滑面を形成した第２傾斜溝部（３５０）；
前記ノック部（６０）の第２突出片（６２）と摩擦接触関係にあるようにスライド面を有する第３回転ガイド部（３６０）；
前記第２突出片（６２）の停止片のような役割を果たす第２突出片載置部（３７０）；
前記第１傾斜溝部（３２０）と前記第２傾斜溝部（３５０）の外側から垂直に突出したもので、前記第１突出片（６１）の回転動作と回転反対動作を一定角度の範囲内でガイド及び阻止する第１、第２側壁（３８０ａ、３８０ｂ）を含むことを特徴とする請求項４に記載の安全ノック式筆記具。
【発明の詳細な説明】
【技術分野】
【０００１】
本発明は筆記具に関するもので、特に、使用が終わってペン芯が突出した状態の筆記具をポケットに差し込んだ時、自動的にペン芯が没入できるようにする安全ノック式筆記具に関するものである。
【背景技術】
【０００２】
一般に、筆記具はペン芯やスプリング、ペン芯ケース及びペン芯出没装置で構成され、ここにクリップ部を備えポケットに差し込んで容易に所持できるようにした。
【０００３】
このような筆記具を使用するためには、ペン芯出没装置を操作してペン芯を突出させて使用し、筆記具を使用しない時はペン芯出没装置を操作してペン芯を没入させてポケット等に差し込んで所持する。このようなペン芯出没装置を含む筆記具はペン芯の出没のためにボタンまたは押し部などを利用して操作する。
【０００４】
このようなペン芯出没装置として最も広く使われているのがノックと歯車である。このようなノック式筆記具は大部分、筆記具のケース内部に中心軸にノックと歯車を形成する。したがって、ケース内部のノックと歯車のための別の空間が必要であるためケースが長く、太くなる。
【０００５】
しかし、このような従来の筆記具を使用するためには、別途に備わったペン芯出没装置を操作してペン芯を突出させて使用しなければならず、使用後はまたペン芯出没装置を操作してペン芯を没入させるという不便さがあった。
【０００６】
したがって、筆記具を使用した後、ペン芯を没入させずにポケットに差し込んで所持するようになれば、没入していないペン芯のインキによって服にインキが付着する問題点があった。
【０００７】
また、ペン芯出没装置を操作すること以外に、ふたを含む筆記具は、使用時にふたを開けて使用し、使用が終わった後はふたをして所持する。
【０００８】
ふたを含む筆記具の使用時は、いちいちふたを開閉しなければならず、ふたを紛失するおそれが多く、使用時に不便さがあった。
【０００９】
また、従来のペン芯出没装置はケースの内周面に形成された突起等とケースの軸心部で回転する歯車部が接触する時、その歯状とスプリング弾性力によって４回程度の打撃音が非常に大きく発生する短所があり、高品質の製品として消費者に提供されていないのが実情である。
【発明の開示】
【発明が解決しようとする課題】
【００１０】
したがって、前記問題点を解決するための本発明の目的は、筆記具を使用した後ペン芯を没入させずにポケットに差し込めば、自動的にペン芯が没入するように、歯車部または半歯車部をクリップ部に配設させて柔らかい作動を誘導すると共に、服の汚れを防止して作動性や便利性を向上できるようにする安全ノック式筆記具を提供することにある。
【００１１】
また、本発明の他の目的はペン芯出没装置をケース外部のクリップ部に設けるので、ケース内部のペン芯の長さを長くすることができて、筆記具の太さも細くすることができ、これと共にクリップ部の耐久性を維持しつつもクリップ部の太さも細くすることができる安全ノック式筆記具を提供することにある。
【００１２】
また、本発明の他の目的は、ペン芯出没装置の半歯車部とノック部の第１及び第２突出片の摩擦が少ないので打撃音の発生が少なく、例え打撃音が発生しても小型の半歯車部から発生する摩擦騷音程度の低騷音で、高品質の安全ノック式筆記具を提供することにある。
【課題を解決するための手段】
【００１３】
前述のような本発明の目的は、ペン芯を含むケース；前記ケースの外部に配設されてクリップ部に回転可能に載置される歯車部；及び前記ケースの内部に配設されて前記歯車部に噛合回転する第１及び第２突出片を備えるノック部を含み、前記ノック部の第１突出片が前記歯車部から離脱しながらペン芯を没入させることを特徴とする安全ノック式筆記具により達成される。
【００１４】
また、本発明の他の目的は、ペン芯を含むケース；前記ケースの外部に配設されてクリップ部に回転可能に載置される半歯車部及び前記ケースの内部に配設されて前記半歯車部に噛合回転する第１及び第２突出片を備えるノック部を含み、前記ノック部の第１突出片が前記半歯車部から離脱しながら前記ペン芯を没入させ、前記半歯車部は、前記ノック部の押し方向と押し反対方向への往復直線運動に対応して回転方向と回転反対方向に往復回動することを特徴とする安全ノック式筆記具により達成される。
【００１５】
また、本発明によると、前記クリップ部は前記歯車部を回転可能に載置するための別の歯車載置部を含むことが好ましい。
【００１６】
また、本発明によると、前記歯車部は第１突出片により軸方向にガイドするためのもので、前記歯車部の回転動作時、前記第１突出片から離脱できる所定深さと直線状の長さを有するガイド溝部；前記第１突出片により螺旋方向にガイドされるための回転ガイド部；前記第１突出片を載置するための第１突出片載置部；及び前記第２突出片を載置させて前記第２突出片により螺旋方向にガイドするための第２突出片載置部を含むことが好ましい。
【００１７】
また、本発明によると、前記ケースは胴体とチップホルダーを一体型に成形したもので、前記第１、第２突出片が表出した状態で、軸方向に往復摺動可能に一定長さを有し、所定端部が開放されて互いに直径の相異なる長幅と短幅の直線型ガイドスリットを含むことが好ましい。
【００１８】
また、本発明によると、前記ケースは第１ねじ山を前記クリップ部の第２ねじ山に螺合して、前記クリップ部のリング状部と結合することが好ましい。
【００１９】
また、本発明によると、前記ケースは第１ねじ山周囲の第１テーパー接触面を有し、前記クリップ部のリング状部が前記第１テーパー接触面と摩擦接触関係にある第２テーパー接触面を有し、前記第１、第２テーパー接触面が平滑面接触に比べて、相対的に広い接触面積を提供するテーパー面接触で外嵌することによって、前記ガイドスリットを有する前記ケースの前記第１ねじ山と前記クリップ部の前記第２ねじ山が螺合された時、螺合力を増加させることが好ましい。
【００２０】
また、本発明によると、前記半歯車部は軸心を基準に回転する偏心歯状を有するもので、スパイラル状のスライド面を提供して一定角度の範囲の回転動作に関与するように前記ノック部の第１突出片と摩擦接触関係にある第１回転ガイド部；前記第１回転ガイド部の傾斜下段で回転軸の軸方向に直線傾斜のスライド面と平滑面とを形成するもので、段差による係止片の役割を併行する第１傾斜溝部；前記第１傾斜溝部の平滑面先端で段差を有するように形成されると共に、スパイラル状のスライド面に垂直の隅角片を形成して、前記ペン芯の出没作動時前記第１突出片を載置及び停止させる第１突出片載置部；前記第１突出片載置部の隅角片上向きで歯状に形成されたスパイラル状のスライド面を提供する第２回転ガイド部；前記第１傾斜溝部と同じであるが、反対方向に直線傾斜のスライド面と平滑面を形成した第２傾斜溝部；前記ノック部の第２突出片と摩擦接触関係にあるようにスライド面を有する第３回転ガイド部；前記第２突出片の停止片のような役割を果たす第２突出片載置部；前記第１傾斜溝部と前記第２傾斜溝部の外側から垂直に突出したもので、前記第１突出片の回転動作と回転反対動作を一定角度の範囲内でガイド及び阻止する第１、第２側壁を含むことが好ましい。
【発明の効果】
【００２１】
本発明に係る安全ノック式筆記具は、歯車部または半歯車部をクリップ部に設置したメカニズムとして、歯車部がノック部の往復直線運動に対応して所定の回転方向に回転し、または半歯車部がノック部の往復直線運動に対応して回転方向と回転反対方向とに往復回動することによって、ノック部に結合したペン芯のチップの出没が低騷音で、柔らかくできる長所がある。
【００２２】
また、本発明の筆記具はペン芯を突出した状態で、別の操作なしに襟に差し込んで保管しても、歯車部または半歯車部がクリップ部に配設されているので、柔らかいペン芯没入作動を誘導でき、これにより服の汚れを防止できる効果を提供する。
【００２３】
また、本発明の筆記具は設置空間を相対的に小さくとる半歯車部をクリップ部に設けることによって、シンプルかつ耐久性のあるクリップ部として製品競争力を有し、製品販売の増進に寄与でき、特別な筆記具を所有したい消費者に喜ばれるとの長所がある。
【００２４】
さらに、本発明の安全ノック式筆記具は、胴体とチップホルダーを一体型に成形したケースを提供し、部品組立の数を減らすことができる長所がある。
【００２５】
さらに、本発明の筆記具は半歯車部がケースの内部から分離してクリップ部に設置されるので、ケースの内部空間をより効率的に使用することができ、筆記具の太さも調節可能である。
【００２６】
そして、本発明の筆記具は、半歯車部が載置したクリップ部を透明な材質を利用した場合、筆記具の内部動作の状態を目で確認することができ、使用者に便利性を提供する。
【発明を実施するための最良の形態】
【００２７】
本発明の第１実施形態に係る図１ないし図８Ｆの図面や、第２実施形態に係る図９Ａないし図１５Ｅの図面で、互いに同一ないし類似部分は説明及び理解の便宜上、同一ないし類似の参照符号で記載している点に出来るだけ注目すべきである。
【００２８】
まず、図１を参照すれば、本発明の第１実施形態に係る安全ノック式筆記具は、ケース１０と、筆記具をポケット等に差し込んで所持するためのクリップ部２０、及びそのようなクリップ部２０の内部に配設される歯車載置部４０を含む。ここで、歯車載置部４０には歯車部３０が回転可能に載置している。
【００２９】
そしてケース１０の内部にはペン芯５０が配設される。また、ペン芯５０の上側に該当するケース１０の内部には二つの突出片６１、６２を有するノック部６０が配設される。
【００３０】
歯車部３０とノック部６０との間に位置するケース１０には、前記突出片６１、６２が表出した状態で軸方向に往復摺動可能に一定長さの直線型ガイドスリットが形成されている。
【００３１】
二つの突出片６１、６２、すなわち第１及び第２突出片６１、６２は直線型ガイドスリットを通じて歯車部３０と噛合し、筆記具のペン芯５０を突出及び没入するためのものである。第１及び第２突出片６１、６２はノック部６０の外周面の一直線上に一体型に突設される。例えば、第１突出片６１は平行四辺形の断面を有し、第２突出片６２は一側を傾斜面で形成してウェッジ型四角断面を有することが好ましい。
【００３２】
ノック部６０の上段部は使用者がペン芯５０を突出及び没入するためのボタン状の押し部である。
【００３３】
ノック部６０の押し部は、クリップ部２０のリング状部の軸心を貫通して外部に表出しており、使用者が押し部に指圧を加えてノック部６０とペン芯５０とを直線往復運動させることができる。特に、ペン芯５０は所定弾性力（反発力）を提供するように筆記具ケース１０の左側内部に配設されるスプリング（不図示）で弾持されている。
【００３４】
スプリングはノック部６０の直線往復運動に相応し歯車部３０の回転動作に必要な作動力を発生させる役割を果たす。
【００３５】
このような筆記具は、ケース１０内部に歯車部３０を備えていないので、ペン芯５０をケース１０の長さに相応する長さ分の大容量で長く製作したものを使用することができ、円筒状の歯車部３０がケース１０内部に設けられないため、ケース１０の太さも細く製造できる。そして、クリップ部２０を透明材質を使用する場合は内部に歯車部３０の動作状態を外部で確認可能である。
【００３６】
特に、本発明は、ノック部６０の第１、第２突出片６１、６２が歯車部３０の形状に対応するように噛合して動くので、大きな打撃音が発生することなく若干の摩擦音が発生するだけの、低騷音の筆記具製品である。
【００３７】
図１に示すように、本発明の安全ノック式筆記具は歯車部３０がケース１０内部に構成されず、クリップ部２０に別途配設された歯車載置部４０に位置する。そして、歯車部３０は第１突出片６１により結合されている。
【００３８】
歯車部３０が第１突出片６１により結合してペン芯が没入した状態である。このような状態で使用者がペン芯を突出させるためノック部６０の上段部に形成された押し部を押した場合は、第１突出片６１が歯車部３０から離脱して、歯車部３０が回転しながら移動する。
【００３９】
したがって、ペン芯が突出し、使用者が使用を終えた後ペン芯５０を没入するための押し部を押さず、クリップ部２０を襟に差し込む。そうすると第１突出片６１が歯車部３０から離脱してペン芯５０が自動的に没入する。したがって、ペン芯５０が突出して服等に異物が付着することを防止する。
【００４０】
図２はケース１０とペン芯５０、そしてペン芯５０の上側に配設されたノック部６０を示す。歯車部３０はノック部６０の第１突出片６１と第２突出片６２のいずれかに接触可能に配設される。
【００４１】
歯車載置部４０の内部両側面には若干半球状に突出して歯車部３０との回転軸結合のための突出部４８、４９が形成されている。以下の図４Ａ、図４Ｂ、図４Ｃを参照すれば、歯車部３０の両側面軸心に回転軸結合のための陥没部３８、３９が形成されている。突出部４８、４９は陥没部３８、３９に対して回転軸結合の接触関係にあり、結果的に突出部４８、４９を基準に歯車部３０を軸心に回転させる回転軸のような役割を果たす。
【００４２】
ケース１０の挿設孔側の外周面には係止穴１１が形成され、クリップ部２０の挿入部側の外周面には係止片２１が形成されている。
【００４３】
クリップ部２０の挿入部はケース１０の挿設孔に挿入される時、係止穴１１に係止片２１が挿着され、必要に応じて分解と結合が可能であり、迅速に結合を行うことができるようになっている。
【００４４】
図３は本発明の安全ノック式筆記具のクリップ部２０を説明するための図である。
【００４５】
図３を参照すれば、クリップ部２０は歯車載置部４０を備え、歯車載置部４０の内部には歯車部３０が載置した状態を示す。ペン芯５０の突出及び没入のための動作時、歯車部３０は歯車載置部４０で回転しながら動作する。
【００４６】
このように歯車載置部４０に載置した歯車部３０は図４Ａ、図４Ｂ、図４Ｃに拡大して示されている。
【００４７】
図２、図４Ａ、図４Ｂ、図４Ｃを参照すれば、歯車部３０はその胴体３１の両側面の軸心に回転軸結合のための陥没部３８、３９が形成されている。
【００４８】
また、歯車部３０の胴体３１には複数の第１突出片載置部３４を有する大径部と、複数の第２突出片載置部３５を有する小径部とが一体に設けられる。
【００４９】
一定パターン角度の囲内で歯車部３０を回転させるように、それぞれの第１、第２突出片載置部３４、３５は第１、第２突出片６１、６２にそれぞれ対応してガイドされるトップ歯車形式の複数傾斜スライド面を有する。
【００５０】
そのような第１突出片載置部３４は、ノック部６０の第１突出片６１を摺動方式で載置できる形状を有する。また、第１突出片載置部３４の反対側部には回転ガイド部３３が形成されている。ここで、第１突出片載置部３４と回転ガイド部３３は一対一で対応するように形成される。
【００５１】
歯車部３０は第１突出片６１が噛合して結合するガイド溝部３２を有する。ここで、ガイド溝部３２は歯車部３０の回転動作時、第１突出片６１から離脱できるように若干陥没した所定深さと、直線状の長さ及び半円陥没溝断面状とを有することが好ましい。
【００５２】
第２突出片載置部３５はノック部６０の第２突出片６２を螺旋方向にガイドして摺動方式で載置させることで、一定回転角の範囲内で歯車部３０を回転させる役割を果たす。
【００５３】
このような歯車部とノック部の動作過程は、以下図５ａないし図８ｆを参照して詳細に説明する。
【００５４】
まず、本発明の筆記具のペン芯出没過程を説明する。
【００５５】
図５Ａは本発明が正常に組み立てられた状態を示すもので、発明の容易な説明のために組立歯車部３０とノック部６０の結合部だけを強調して示している。
【００５６】
ここで、歯車部３０は図４Ａないし図４Ｃで説明したように、胴体３１にガイド溝部３２があり、第１突出片６１をガイドするための回転ガイド部３３、そして、第１、第２突出片６１、６２を載置するための第１、第２突出片載置部３４、３５を含む。
【００５７】
図５Ａはペン芯５０が没入した状態における歯車部３０とノック部６０の状態を示す。すなわち、第１突出片６１が歯車部３０の胴体３１にガイド溝部３２に結合されている。このような状態でペン芯を出没させるようにノック部６０が押された場合、図５Ｂに示すように第１突出片６１がガイド溝部３２を離脱して下部におりて行く。そして、最大にノック部６０が押された場合は、第１突出片６１が下部にさらに押され、第２突出片６２が第２突出片載置部３５に載置する。これは図５Ｃに示す。
【００５８】
図５Ｃに示すように、ノック部６０が最大に押された場合は、第２突出片６２が第２突出片載置部３５に回転可能に載置され、ノック部６０はそれ以上押されない。この状態で押されたノック部６０から手を離すと、図５Ｄに示すように、ノック部６０がスプリングの弾性力（反発力）により上部に移動しながら、第１突出片６１が第１突出片載置部３４側に移動する。
【００５９】
この時、連続して歯車部３０が回転しながら第１突出片６１は第１突出片載置部３４に載置する。これは図５Ｅに示されている。このように、第１突出片６１が第１突出片載置部３４に載置すればペン芯が突出した状態になる。
【００６０】
このようにペン芯５０が突出した状態で使用を終えた後、またノック部６０を押しペン芯５０を没入する過程を図６Ａないし図６Ｅを参照して説明する。
【００６１】
図６Ａないし図６Ｅ、図６に係るペン芯没入過程は、前記図５Ａないし図５Ｅと関連したペン芯突出過程と反対の過程を行う。
【００６２】
すなわち、図６Ａは第１突出片６１が第１突出片載置部３４に載置して、ペン芯が突出した状態である。この状態でペン芯を没入するためにノック部６０が押されると、第１突出片６１が第１突出片載置部３４から離脱して下部へ押される。これは図６Ｂに示されている。
【００６３】
最大にノック部６０が押されると、図６Ｃに示すように第２突出片６２が第２突出片載置部３５に載置され、ノック部６０はそれ以上押されない。この状態で押されたノック部６０から手を離すと、スプリングの弾性力が作用すると共に、第１突出片６１が上部に移動しながら歯車部３０が回転する。これは図６Ｄに示されている。そして、歯車部３０の回転により第１突出片６１は歯車部のガイド溝部３２に沿って上部に移動するようになる。これは図６Ｅに示されている。このように、第１突出片６１が歯車部３０の胴体３１にガイド溝部３２に嵌合してペン芯が没入する。
【００６４】
次に、ペン芯５０が突出した状態で使用を終えた後、またノック部６０を押してペン芯５０を没入させることでなく、襟にそのまま差し込んだ時のペン芯が没入する安全ノック過程を図７Ａと図７Ｂを参照して説明する。
【００６５】
まず、図７Ａのペン芯突出状態で襟にそのまま差し込んだ場合、クリップ部２０がケース１０から離間する。したがって、ノック部６０の第１突出片６１が歯車部３０の第１突出片載置部３４から離脱するようになる。
【００６６】
そして図７Ｂに示すように、ノック部６０がスプリングの反発力によって上部に移動しつつ第１突出片６１が歯車部３０の胴体３１に位置することになって、ペン芯が没入する。したがって、ペン芯が突出した状態で保管のため別途にペン芯を没入せず、そのまま襟に差し込んでも安全ノックが作動してペン芯を没入させることができる。このように没入した状態で、またペン芯を突出させるための過程を図８Ａと図８Ｆを参照して説明する。
【００６７】
図８Ａは安全ノックモードである時のペン芯の没入した状態を示す。すなわち、第１突出片６１が歯車部３０の胴体３１に位置するようになる。この状態でペン芯の突出のためにノック部６０を押すと、歯車部３０が回転しながら（図８Ｂ参照）胴体３１に位置していた第１突出片６１が歯車部３０の回転ガイド部３３に沿ってガイド溝部３２の下へ移動する。これは図８Ｃに示されている。
【００６８】
図８Ｃに示すように、第１突出片６１がガイド溝部３２を離脱して下部におりて行く。そして、最大にノック部６０が押された場合は、第１突出片６１が下部にさらに押されながら、第２突出片６２が第２突出片載置部３５に載置する。これは図８Ｄに示されている。
【００６９】
図８Ｄに示すように、ノック部６０が最大に押された場合は、第２突出片６２が第２突出片載置部３５に載置され、ノック部６０はそれ以上押されない。この状態で押されたノック部６０から手を離すと、図８Ｅに示すように、ノック部６０が上部に移動しながら、第１突出片６１が第１突出片載置部３４側に移動する。この際、連続して歯車部３０が回転しながら第１突出片６１は第１突出片載置部３４に載置する。これは図８Ｆに示されている。このように、第１突出片６１が第１突出片載置部３４に載置すればペン芯が突出した状態になる。
【００７０】
このような本発明の安全ノック式筆記具は、ペン芯が突出した状態で無意識的にポケット、襟等に差し込んで保管する時、別途の使用者操作なしに自動的にペン芯没入作動を柔らかく行うことによって、服の汚れを防止できる。
【００７１】
以下、本発明の第２実施形態に係る安全ノック式筆記具について詳細に説明する。
【００７２】
まず、図９Ａと図９Ｂを参照すれば、クリップ部２０の歯車載置部４００には半歯車部３００が回転可能に載置する。
【００７３】
歯車載置部４００は相対的に設置空間を小さくとる半歯車部３００の回転軸先端を一定角度の範囲内で回動、または回転可能にすることができる通常の空間的レイアウトを有し、抑止挿入結合のために一側方向が開口した軸結合部４９０ａ、４９０ｂを両内側面に形成している。
【００７４】
ここで、歯車載置部４００は、前記第１実施形態の円状歯車を結合させるための空間より相対的に小さい設置空間を有するので、クリップ部２０の歯車載置部４００の上下厚さｈを相対的に薄くシンプルに構成することが可能であり、かつクリップ部２０の支持部の厚さを耐久性のあるように調節することが可能である。
【００７５】
一方、ケース１０は胴体１０ａとチップホルダー１２を一体型に射出成形したものとして、部品組立の数を減らす効果がある。このようなチップホルダー１２は、その内部に段差部１２ａを形成してスプリング５１を支持できるようになっている。
【００７６】
また、ケース１０はチップホルダー１２側に第１片１４が形成され、第１片１４から軸上向きに所定長さに延びた所に第２片１５が形成されている。
【００７７】
このようなケース１０の内部にはペン芯５０が備えられる。スプリング５１の一側端部がインキが流れ出るように形成されたチップ５２の段差部５２ａに挟まれており、スプリング５１の反対側端部がチップホルダー１２の段差部１２ａに支持されているので、ペン芯５０は軸方向の指力と反対の軸方向に弾性力に対応した反発力を伝達される。このようなペン芯５０の上段（図面の右側部）にはノック部６０が挟まれている。
【００７８】
ノック部６０は中孔型形状で局部的に閉塞している上段と、完全開口した下段（図面の左側部）を有する。ノック部６０は、軸方向に一致する一直線が外周面を通過するところに設けられた二つの突出片６１、６２を備える。この時、突出片６１、６２は半歯車部３００にレイアウトに相応した離間距離を維持しつつ、それぞれノック部６０の直径方向に突出している。
【００７９】
また、ノック部６０は突出片６１、６２を基準に、両側円周部に通孔部６７と支持部６８を繰り返し形成してブリッジ状を有する。これは素材使用を最小化すると共に、突出片６１、６２の支持力を増加させるためである。
【００８０】
ノック部６０の突出片６１、６２のうち、第１突出片６１はその突出の高さが第２突出片６２に比べ相対的に低いもので、半歯車部３００の外周側（回転軸から遠い方向）歯状に噛合して摺動及び停止作動を行うことで、結果的にペン芯５０の突出及び没入に関係する。このような第１突出片６１は摩擦接触関係にある以下の第１、第２回転ガイド部に対応してスパイラル状のスライド面を有する。
【００８１】
また、第２突出片６２はその突出の高さが第１突出片６１に比べ相対的に高いもので、半歯車部３００の内周側（回転軸から近い方向）歯状に噛合して摺動及び停止作動を行うことで、結果的にペン芯５０の突出及び没入に関係する。このような第２突出片６２は摩擦接触関係にある以下の第３回転ガイド部に対応してスパイラル状のスライド面を有する。
【００８２】
図１０に示すように、半歯車部３００とノック部６０との間に位置するケース１０には、前記第１、第２突出片６１、６２が表出した状態で軸方向に往復摺動可能に一定長さを有し、所定端部が開放された直線型ガイドスリット１６、１７が形成されている。
【００８３】
ここで、所定端部とは、ガイドスリット１６、１７の上段を意味するものであって、ケース１０の開口した挿設孔の縁に延びて開放されている。ガイドスリット１６、１７は、半歯車部３００に対応して半歯車部３００の作動領域に制限されない程度の長幅を有する部１６と、前記第１、第２突出片６１、６２の幅に対応して第１、第２突出片６１、６２が曲がることなく円滑に直線運動できる程度の段幅を有する部１７からなっている。
【００８４】
また、ケース１０の開放された上段外周面には雄ねじのような第１ねじ山１８が形成されている。第１ねじ山１８とねじ接触関係にある雌ねじのような第２ねじ山２８は、クリップ部２０のリング状部の内周面に形成されている（図９Ａまたは図９Ｂ参照）。
【００８５】
第１ねじ山１８部でケース１０の開放された上段円状縁と第１ねじ山１８の厚さ方向に位置する内周面の円状縁との間には、円周方向に傾斜した円周面のような第１テーパー接触面１９が形成されている。
【００８６】
第１テーパー接触面１９と摩擦接触関係にある第２テーパー接触面２９はクリップ部２０のリング状部の内周面のうち、第２ねじ山２８の軸方向の上段に形成されている。
【００８７】
第１、第２テーパー接触面１９、２９は平滑面接触に比べ相対的に広い接触面積を提供するテーパー面接触により相対的に大きい相互間の摩擦力を発生させ、その結果ガイドスリット１６、１７を有するケース１０の第１ねじ山１８とクリップ部２０の第２ねじ山２８が螺合された時、螺合力を増加させる役割を果たす。結果的にガイドスリット１６、１７による耐久性の低下を防止することができるようになる。
【００８８】
第１及び第２突出片６１、６２は、ノック部６０の外周面の一直線上に一体型に突設される。ノック部６０の局部的に閉塞している上段は、使用者がペン芯５０を突出及び没入するためのボタン状の押し部を有し、その押し部に通気孔６９を形成している。
【００８９】
以下、本発明の安全ノック式筆記具の結合関係と半歯車部３００の形状について説明する。
【００９０】
フィンガーホルダー１３はケース１０の第１片１４と第２片１５との間に挿入され固設される。
【００９１】
ケース１０の開放された上段には、スプリング５１をチップ５２に取り付けたペン芯５０が挿設される。
【００９２】
ペン芯５０の外周とケース１０の内周との間には、ノック部６０の開口した下段が挿設される。
【００９３】
一定距離程挿入されるノック部６０に沿って、第１、第２突出片６１、６２はガイドスリット１６、１７に配設される。
【００９４】
半歯車部３００の回転軸３９０ａ、３９０ｂ先端は、それぞれクリップ部２０の歯車載置部４００の軸結合部４９０ａ、４９０ｂに嵌合した後、一定角度の範囲内で回転可能になる。
【００９５】
クリップ部２０のリング状部の内部では、ケース１０の第１ねじ山１８とクリップ部２０の第２ねじ山２８が螺合される。このような場合、ノック部６０の上段側押し部は、ケース１０の上段とクリップ部２０のリング状部の内部を貫通して外側に表出する。
【００９６】
ペン芯５０の上段は、ノック部６０の上段内側面に接触し、ノック部６０の第１突出片６１と第２突出片６２は、詳細に後述するような初期位置に置かれ、スプリング５１は使用者が通気孔６９を有するノック部６０の押し部を押す度に、弾性力に対応した反発力をペン芯５０を通じてノック部６０とそれぞれの第１突出片６１と第２突出片６２に伝達するようになる。
【００９７】
すなわち、使用者は押し部に指圧を加えてノック部６０とペン芯５０とを直線往復運動させることができ、スプリング５１はノック部６０とペン芯５０を元の位置へ戻そうとする反発力を、チップホルダー１２に支持された状態で発生させるようになる。また、スプリング５１はペン芯５０またはノック部６０の直線往復運動に相応して半歯車部３０の一定角度の範囲の回転動作に必要な作動力を発生させる役割を果たす。
【００９８】
また、本発明の安全ノック式筆記具では、半歯車部３００が狭い設置空間を要することによって、結局クリップ部２０を相対的にシンプルに構成できるだけでなく、ノック部６０の第１、第２突出片６１、６２が半歯車部３００の形状に対応するように噛合して動くので、騷音の大きい打撃音が発生することがなく、微小な摩擦騷音程度だけ発生させることで、低騷音の筆記具製品として非常に適している。
【００９９】
このようなことは、後述する半歯車部３００により可能になる。
【０１００】
図１１Ａ、図１１Ｂ、図１１Ｃに示すように、半歯車部３００は先端が両側面方向に突出した回転軸３９０ａ、３９０ｂと、回転軸３９０ａ、３９０ｂの軸心を基準に偏心したところで偏心歯状で形成された胴体を有する。
【０１０１】
半歯車部３００の胴体の偏心歯状は、第１回転ガイド部３１０、第１傾斜溝部３２０、第１突出片載置部３３０、第２回転ガイド部３４０、第２傾斜溝部３５０、第３回転ガイド部３６０、第２突出片載置部３７０、及び第１、第２側壁３８０ａ、３８０ｂを含む。
【０１０２】
第１回転ガイド部３１０はスパイラル状のスライド面を提供するものとして、一定角度の範囲の回転動作に関与するようにノック部の第１突出片と摩擦接触関係にある。
【０１０３】
第１傾斜溝部３２０は第１回転ガイド部３１０の傾斜下段で回転軸３９０ａ、３９０ｂの軸方向に、直線傾斜のスライド面と平滑面を形成するものとして、段差による係止片の役割を並行する。
【０１０４】
第１突出片載置部３３０は第１傾斜溝部３２０の平滑面先端で段差を有するように形成されると共に、スパイラル状のスライド面に垂直の隅角片を形成し、ペン芯の出没作動時ノック部の第１突出片を載置及び停止させる役割を果たす。
【０１０５】
第２回転ガイド部３４０は、第１突出片載置部３３０の隅角片の上向きで歯状に形成されたスパイラル状のスライド面を提供する。
【０１０６】
第２傾斜溝部３５０は第１傾斜溝部３２０と同じであるが、反対方向に直線傾斜のスライド面と平滑面を形成したものである。
【０１０７】
第３回転ガイド部３６０はノック部の第２突出片と摩擦接触関係にあるようにスライド面を有し、前記回転動作の反対方向の回転動作、すなわち一定角度の範囲の回転反対動作に関与する。
【０１０８】
第２突出片載置部３７０はノック部の第２突出片の停止片のような役割を果たす。
【０１０９】
第１、第２側壁３８０ａ、３８０ｂは六角形翼状で第１傾斜溝部３２０と第２傾斜溝部３５０の外側から垂直に突出したものとして、ノック部の第１突出片の回転動作と回転反対動作を一定角度の範囲内でガイド及び阻止する役割を果たす。
【０１１０】
一方、図９Ａと図９Ｂを参照して、本発明の安全ノック式筆記具の全体的な作動方法と使用方法を概略的に説明する。
【０１１１】
これらの図は半歯車部３００が第１突出片６１に係合してペン芯を没入させた状態を示す。このような状態で使用者がペン芯の筆記可能なチップを突出するためにノック部６０の押し部を押した場合は、第１突出片６１が半歯車部３００から離脱すると共に、半歯車部３００が所定回転方向に一定回転角だけ回転する。以後、スプリング５１の反発力により第１突出片６１は半歯車部３００に決着すると共に、チップ５２の先端部がチップホルダー１２の外側に突出してペン芯５０で文を書くことができるようになる。
【０１１２】
使用者が筆記具の使用を終えた後、ペン芯５０を没入させるためのノック部６０の押し部を押さず、クリップ部２０を襟に差し込む。すると第１突出片６１が半歯車部３００から離脱され、ペン芯５０がスプリング５１の反発力により元の位置に移動して没入する。したがって、ペン芯５０が突出して服地等に異物が付着することを防止する。
【０１１３】
以下、図１２Ａないし図１５Ｅを参照して、ペン芯チップの正常突出、正常没入、安全没入後正常突出などのようなそれぞれの過程に対応した半歯車部３０とノック部６０の動作過程を詳細に説明する。
【０１１４】
まず、図１２Ａないし図１２Ｅを参照して、ペン芯チップの正常突出過程について説明する。
【０１１５】
図１２Ａに示すように、ペン芯が没入した状態の初期位置でノック部６０の第１突出片６１は、相対的に低い高さを有するため、スパイラル状のスライド面と摩擦接触をすることになって、半歯車部３００の第１回転ガイド部３１０と第１側壁３８０ａとの間の隅角部に位置する。
【０１１６】
この時、第２突出片６２は第１突出片６１と同一線上の後端に配設される。半歯車部３００は回転軸３９０ａ、３９０ｂを基準に一定角度の範囲内で回転可能である。
【０１１７】
このような状態でペン芯を正常に突出させるため、使用者はノック部６０の押し部を押す。
【０１１８】
図１２Ｂに示すように、ノック部６０の押し部が押されてノック部６０が押し方向Ｆに移動する場合、ノック部６０の第１突出片６１は半歯車部３０の第１回転ガイド部３１０のスパイラル状のスライド面に摩擦接触しながら、前記押し方向Ｆと同一方向に移動する。それによって、回転接触関係で結合した半歯車部３００は第１回転ガイド部３１０により傾斜方向に対応した所定回転方向Ｒへの一定角度の範囲の回転動作を始める。
【０１１９】
半歯車部３００の第１側壁３８０ａが歯車載置部の内表面に接触する時、前記始まった回転動作が停止する。この時、半歯車部３００の第２側壁３８０ｂと第１傾斜溝部３２０間の隅角部はノック部６０の第１突出片６１と接触するようになる。
【０１２０】
使用者が押し方向Ｆの最大移動地点までノック部６０を移動させ続けているため、第１突出片６１は第２側壁３８０ｂによりガイドしながら、第１傾斜溝部３２０の直線傾斜のスライド面と平滑面を直線移動する。この時、ノック部６０は前述した通孔部、支持部等によるブリッジ状で第１突出片６１をペン芯を基準に水平に支持している。これにより、第１突出片６１は第１突出片６１の突出方向に第１傾斜溝部３２０を押し出しつつ直線移動することが可能である。
【０１２１】
このような場合、前記ノック部６０の支持力に相応する垂直上昇力が半歯車部３００を取り付けたクリップ部に伝達され、クリップ部が弾性変形の範囲内で微小な変形を起こすようになる。結果的に、微小な高さ分持ち上げられてからまた元の位置に戻り、これによって、第１突出片６１が第１傾斜溝部３２０方向に戻ることが阻止され、自然に第１突出片載置部３３０のスライド面に沿って移動する。
【０１２２】
すなわち、図１２Ｃに示すように、ノック部６０の第１突出片６１が最大移動地点に位置している時点で、第２突出片６２は相対的に高い高さを有しているため第２突出片載置部３７に接触するようになる。これにより、前記押し方向Ｆにノック部６０をはじめとする第２突出片６２と第１突出片６１の移動が停止し、ノック部６０はそれ以上押されない。
【０１２３】
図１２Ｄに示すように、前記状態で押されたノック部６０から手を離すと、ノック部６０がスプリングの弾性力（反発力）により押し反対方向Ｓに移動するようになる。
【０１２４】
このような場合、第１突出片６１のスライド面と第１突出片載置部３３とのスライド面が接触し、これにより半歯車部３００が回転反対方向Ｑに回転を始めるようになる。結局、第１突出片６１は第１突出片載置部３３０と第２回転ガイド部３４０との間の垂直の隅角片に載置し、これにより、ノック部６０の押し反対方向Ｓへの移動と半歯車部３００の回転反対方向Ｑへの回転が停止するようになる。
【０１２５】
この時、第２突出片６２のスライド面は、第３回転ガイド部３６０のスライド面と一部一致するように、仮想の直線上に離間した状態で置かれるようになる。これは図１２Ｅに示されている。
【０１２６】
図１２Ｅに示すように、第１突出片６１が第１突出片載置部３３０に載置すれば、ペン芯のチップが突出した状態になり、ペン芯は第１突出片６１と第１突出片載置部３３０との係止関係によって後方に押されなくなり、使用者が筆記を円滑に行うことができるようになる。このような状態で筆記具の使用を終える。
【０１２７】
以下、ノック部６０を押してペン芯を没入させるペン芯チップの正常没入過程について、図１３Ａないし図１３Ｅを参照して説明する。
【０１２８】
図１３Ａに示すように、第１突出片６１は第１突出片載置部３３０に載置しており、第２突出片６２のスライド面は第３回転ガイド部３６０のスライド面と一部一致する仮想の直線上に離間されており、この時、ペン芯のチップ一部はチップホルダーの外部に突出した状態である。
【０１２９】
図１３Ｂに示すように、前記状態でペン芯を正常に没入させるためにノック部６０の押し部が押されると共に、ノック部６０が押し方向Ｆに移動する。この時、ノック部６０の第１突出片６１が第１突出片載置部３３０で離脱するため、半歯車部３００が回転可能な状態になる。
【０１３０】
これと同時に、第２突出片６２のスライド面が第３回転ガイド部３６０のスライド面と一部摩擦接触を行い、その結果回転反対方向Ｑに摩擦接触する距離分回転する。これは図１３Ｃに示されている。
【０１３１】
図１３Ｃに示すように、ノック部６０の第１突出片６１のスライド面は第２回転ガイド部３４０のスライド面から離間した状態に置かれることになり、第２突出片６２は第３回転ガイド部３６０のスライド面を滑り降りながら面接触するようになる。
【０１３２】
図１３Ｄに示すように、前記状態で押されたノック部６０から手を離すと、ノック部６０がスプリングの反発力により押し反対方向Ｓに移動するようになる。
【０１３３】
このような場合、第１突出片６１のスライド面と第２回転ガイド部３４０のスライド面が相互接触して滑る時、半歯車部３００が前記スライド面等の傾斜方向に対応してやはり回転反対方向Ｑに回転を続ける。
【０１３４】
図１３Ｅに示すように、結局、歯車載置部の内表面に支持される第１側壁３８０ａが第１突出片６１に接触し、半歯車部３００の回転反対方向Ｑへの回転を停止させる。
【０１３５】
スプリングの弾性力によって、第１突出片６１は第２傾斜溝部３５０の直線傾斜のスライド面と平滑面を乗り越え、結局最初の位置に戻る。
【０１３６】
この時も、前述のようにノック部６０の支持力に相応する垂直上昇力によって半歯車部３００を取り付けたクリップ部が微小な高さ分持ち上げられてからまた元の位置に戻るようになる。
【０１３７】
これにより、第１突出片６１は第２傾斜溝部３５０方向に戻ることが阻止され、自然に第１回転ガイド部３１０方向にだけ移動可能になる。
【０１３８】
結果的に、半歯車部３００は従来技術のように一定回転方向にのみ回転するものではなく、ノック部６０の押し方向Ｆと押し反対方向Ｒへの往復直線運動に対応して回転方向Ｒと回転反対方向Ｑに往復回動し、ノック部６０に結合したペン芯のチップの出没がステップ別に作動及び停止することにより低騷音の特徴を有する。
【０１３９】
次に、ペン芯が突出した状態で使用を終えた後、またノック部６０を押しペン芯を没入させずに、襟にそのまま差し込んだ時のペン芯が没入する安全没入過程について、図１４Ａと図１４Ｂを参照して説明する。
【０１４０】
まず、図１４Ａのペン芯突出状態で襟にそのまま差し込んだ場合、歯車載置部が形成されたクリップ部の所定部がケースから離間する。
【０１４１】
したがって、ノック部６０の第１突出片６１から半歯車部３００の第１突出片載置部３３０が離脱し、またはノック部６０の第１突出片６１が半歯車部３００の第１突出片載置部３３０から離脱し、結果的にペン芯とノック部６０との軸方向への動きを阻止することが解除されるようになる。
【０１４２】
このような場合、図１４Ｂに示すように、スプリングの反発力がペン芯を没入させ、このようなペン芯に結合したノック部６０を押し反対方向Ｓへ直ちに移動させる。
【０１４３】
この過程で、半歯車部３００はいかなる回転も行わず、単に第２突出片６２が第３回転ガイド部３６０と第２突出片載置部３７０のいずれかの裏側部に抜けるようになると共に、第１突出片６１が半歯車部３００で第３回転ガイド部３６０と第１回転ガイド部３１０との間の所定表面の上に位置するようになる。
【０１４４】
したがって、ペン芯を突出した状態で保管のため別途にペン芯を没入せず、そのまま襟に差し込んでも半歯車部３００とノック部６０の結合関係によってペン芯を没入させることができる。
【０１４５】
このように没入した状態で、またペン芯が突出するための過程について、図１５Ａないし図１５Ｅを参照して説明する。
【０１４６】
前述の安全没入過程後、正常突出過程の図１５Ａないし図１５Ｅは、図１２Ａないし図１２Ｅを通じて説明したペン芯チップの正常突出過程と非常に類似している。
【０１４７】
すなわち、図１５Ａに示すようにペン芯が没入した状態で、ノック部６０の第１突出片６１は、第３回転ガイド部３６０と第１回転ガイド部３１０との間で、半歯車部３００の所定表面上に停止しているが、このような状態でペン芯を正常に突出させるために、使用者はノック部６０の押し部を押す。
【０１４８】
このような場合、図１５Ｂに示すように、ノック部６０の第１突出片６１は押し方向Ｆに動くようになる。それによって、半歯車部３００が所定回転方向Ｒに一定角度の範囲だけ回動することで、半歯車部３００の第１回転ガイド部３１０と第１側壁３８０ｂとの間の隅角部がノック部６０の第１突出片６１に接触するようになる。
【０１４９】
図１５Ｃに示すように、使用者が押し方向Ｆの最大移動地点までノック部６０を移動させる場合、第１突出片６１は第２側壁３８０ｂによりガイドされながら、第１傾斜溝部３２０を持ち上げるように通過するが、第２突出片載置部３７０に接触する第２突出片６２によってノック部６０、第２突出片６２共に停止する。
【０１５０】
図１５Ｄに示すように、前記状態で押されたノック部６０から手を離すと、ノック部６０がスプリングの弾性力（反発力）により押し反対方向Ｓに移動し、ノック部６０の第１突出片６１が第１突出片載置部３３０のスライド面に接触する。
【０１５１】
図１５Ｅに示すように、半歯車部３００はノック部６０の第１突出片６１の移動に対応して回転反対方向Ｑに回転し、結果的に、第１突出片載置部３３０と第２回転ガイド部３４０との間の垂直の隅角片が第１突出片６１の直線移動を阻止するようになる。このような場合、ペン芯のチップがチップホルダーから突出した状態になって筆記可能になる。
【０１５２】
なお、本発明のための実施の形態は、例示の目的のために開示したものであって、当業者なら本考案の思想と範囲のなかで多様な修正、変更、付加などが可能であり、このような修正変更等は、以下の特許請求の範囲に属するものと見なすべきである。
【図面の簡単な説明】
【０１５３】
【図１】本発明の第１実施形態に係る安全ノック式筆記具の部分断面図
【図２】図１に示す筆記具の分解図
【図３】図１に示す筆記具のクリップ部を説明するための斜視図
【図４Ａ】図１に示す筆記具の歯車部を説明するための正面図
【図４Ｂ】図１に示す筆記具の歯車部を説明するための左側面図
【図４Ｃ】図１に示す筆記具の歯車部を説明するための右側面図
【図５Ａ】図１に示す筆記具の安全ノック動作状態を説明するための図
【図５Ｂ】図１に示す筆記具の安全ノック動作状態を説明するための図
【図５Ｃ】図１に示す筆記具の安全ノック動作状態を説明するための図
【図５Ｄ】図１に示す筆記具の安全ノック動作状態を説明するための図
【図５Ｅ】図１に示す筆記具の安全ノック動作状態を説明するための図
【図６Ａ】図１に示す筆記具の安全ノック動作状態を説明するための図
【図６Ｂ】図１に示す筆記具の安全ノック動作状態を説明するための図
【図６Ｃ】図１に示す筆記具の安全ノック動作状態を説明するための図
【図６Ｄ】図１に示す筆記具の安全ノック動作状態を説明するための図
【図６Ｅ】図１に示す筆記具の安全ノック動作状態を説明するための図
【図７Ａ】図１に示す筆記具の安全ノック動作状態を説明するための図
【図７Ｂ】図１に示す筆記具の安全ノック動作状態を説明するための図
【図８Ａ】図１に示す筆記具の安全ノック動作状態を説明するための図
【図８Ｂ】図１に示す筆記具の安全ノック動作状態を説明するための図
【図８Ｃ】図１に示す筆記具の安全ノック動作状態を説明するための図
【図８Ｄ】図１に示す筆記具の安全ノック動作状態を説明するための図
【図８Ｅ】図１に示す筆記具の安全ノック動作状態を説明するための図
【図８Ｆ】図１に示す筆記具の安全ノック動作状態を説明するための図
【図９Ａ】本発明の第２実施形態に係る安全ノック式筆記具の断面図
【図９Ｂ】本発明の第２実施形態に係る安全ノック式筆記具の断面図
【図１０】本発明の第２実施形態に係る安全ノック式筆記具の分解図
【図１１Ａ】図１０に示す筆記具の半歯車部を説明するための正面図
【図１１Ｂ】図１０に示す筆記具の半歯車部を説明するための左側面図
【図１１Ｃ】図１０に示す筆記具の半歯車部を説明するための右側面図
【図１２Ａ】図１０に示す筆記具の安全ノック動作状態を説明するための図
【図１２Ｂ】図１０に示す筆記具の安全ノック動作状態を説明するための図
【図１２Ｃ】図１０に示す筆記具の安全ノック動作状態を説明するための図
【図１２Ｄ】図１０に示す筆記具の安全ノック動作状態を説明するための図
【図１２Ｅ】図１０に示す筆記具の安全ノック動作状態を説明するための図
【図１３Ａ】図１０に示す筆記具の安全ノック動作状態を説明するための図
【図１３Ｂ】図１０に示す筆記具の安全ノック動作状態を説明するための図
【図１３Ｃ】図１０に示す筆記具の安全ノック動作状態を説明するための図
【図１３Ｄ】図１０に示す筆記具の安全ノック動作状態を説明するための図
【図１３Ｅ】図１０に示す筆記具の安全ノック動作状態を説明するための図
【図１４Ａ】図１０に示す筆記具の安全ノック動作状態を説明するための図
【図１４Ｂ】図１０に示す筆記具の安全ノック動作状態を説明するための図
【図１５Ａ】図１０に示す筆記具の安全ノック動作状態を説明するための図
【図１５Ｂ】図１０に示す筆記具の安全ノック動作状態を説明するための図
【図１５Ｃ】図１０に示す筆記具の安全ノック動作状態を説明するための図
【図１５Ｄ】図１０に示す筆記具の安全ノック動作状態を説明するための図
【図１５Ｅ】図１０に示す筆記具の安全ノック動作状態を説明するための図
【図１】
2007517704.tif 000003
【図２】
2007517704.tif 000004
【図３】
2007517704.tif 000005
【図４Ａ】
2007517704.tif 000006
【図４Ｂ】
2007517704.tif 000007
【図４Ｃ】
2007517704.tif 000008
【図５Ａ】
2007517704.tif 000009
【図５Ｂ】
2007517704.tif 000010
【図５Ｃ】
2007517704.tif 000011
【図５Ｄ】
2007517704.tif 000012
【図５Ｅ】
2007517704.tif 000013
【図６Ａ】
2007517704.tif 000014
【図６Ｂ】
2007517704.tif 000015
【図６Ｃ】
2007517704.tif 000016
【図６Ｄ】
2007517704.tif 000017
【図６Ｅ】
2007517704.tif 000018
【図７Ａ】
2007517704.tif 000019
【図７Ｂ】
2007517704.tif 000020
【図８Ａ】
2007517704.tif 000021
【図８Ｂ】
2007517704.tif 000022
【図８Ｃ】
2007517704.tif 000023
【図８Ｄ】
2007517704.tif 000024
【図８Ｅ】
2007517704.tif 000025
【図８Ｆ】
2007517704.tif 000026
【図９Ａ】
2007517704.tif 000027
【図９Ｂ】
2007517704.tif 000028
【図１０】
2007517704.tif 000029
【図１１Ａ】
2007517704.tif 000030
【図１１Ｂ】
2007517704.tif 000031
【図１１Ｃ】
2007517704.tif 000032
【図１２Ａ】
2007517704.tif 000033
【図１２Ｂ】
2007517704.tif 000034
【図１２Ｃ】
2007517704.tif 000035
【図１２Ｄ】
2007517704.tif 000036
【図１２Ｅ】
2007517704.tif 000037
【図１３Ａ】
2007517704.tif 000038
【図１３Ｂ】
2007517704.tif 000039
【図１３Ｃ】
2007517704.tif 000040
【図１３Ｄ】
2007517704.tif 000041
【図１３Ｅ】
2007517704.tif 000042
【図１４Ａ】
2007517704.tif 000043
【図１４Ｂ】
2007517704.tif 000044
【図１５Ａ】
2007517704.tif 000045
【図１５Ｂ】
2007517704.tif 000046
【図１５Ｃ】
2007517704.tif 000047
【図１５Ｄ】
2007517704.tif 000048
【図１５Ｅ】
2007517704.tif 000049
【国際調査報告】
2007517704.tif 000050
2007517704.tif 000051